(57)【要約】【課題】金属部と皮膚の直接接触を避けることにより金属アレルギーを防止することができる金属アレルギー防止用塗布装置を提供すること。【解決手段】本発明に係る金属アレルギー防止用塗布装置は、コロジオンあるいはシリコン系、フッ素樹脂系、アクリル系等のアレルギー防止用塗布材を、マニキュアビンのように蓋の内側に塗布用の筆あるいはヘラを有する容器に詰めた構成とし、個人でも手軽にアクセサリーに塗布できる金属アレルギー防止用塗布装置とするものである。【選択図】図１
2012143487.tif 000002
【特許請求の範囲】
【請求項１】
液体状または粘性体形態で塗布―乾燥後に耐水性皮膜を形成し、人体に有害でなく且つアレルギー症状を引き起こさない塗布材を蓋付きの容器に封入し、蓋内部に塗布用の筆またはヘラを有することを特徴とする金属アレルギー防止用塗布装置。
【請求項２】
請求項１記載の金属アレルギー防止用塗布装置において、前記塗布材として抗菌性を有する素材を用いることを特徴とする金属アレルギー防止用塗布装置。
【請求項３】
請求項１記載の金属アレルギー防止用塗布装置において、前記塗布材としてニトロセルロース（ピロキシリン）をエタノールとジエチルエーテルの混合液に溶かした液体または粘性体を用いることを特徴とした金属アレルギー防止用塗布装置。
【発明の詳細な説明】
【技術分野】
【０００１】
本発明は、金属アレルギーを発症する可能性がある金属部を有するアクセサリーに用いる塗布装置に関するものである。
【背景技術】
【０００２】
合金等で形成された時計、ブレスレット、指輪、ピアス等のアクセサリーを身につけると、あるいはピアッサー等を人体に使用すると、人体からの発汗、体液等でアクセサリーから溶出した金属イオンが表皮にふれたり浸み込んだりして、当該部位あるいは他の部位に発疹等のアレルギー症状を引き起こすことがある。
【０００３】
こうした金属アレルギーの発症の程度は、個人差に加えて、アクセサリーに金属イオンとして溶出しやすい金属が含まれているか、溶出した金属イオンが人体に対し金属アレルギーを起こしやすいものか、そもそも金属イオンが溶出しやすいアクセサリーなのか等に依存する。特にニッケル等の二価イオンは、金属アレルギーを発症しやすいことが知られおり、一方、イオン化しにくい金属は金属アレルギーを発症しにくいと考えられている。こうしたことから、特許文献１にはクロムを含むがニッケルを含まない若しくはその含有量を極めて少なくした生体用二相ステンレス鋼が考案された技術開示が為されているが、クロムによって形成される不動態被膜は、酸化性環境（例えば硝酸や硫酸）における耐食性に優れる一方、還元性環境（例えば塩酸中）における不動態被膜形成による耐食性を期待できず、アクセサリー用合金から金属イオン溶出に改善の余地があり、費用もかさんでしまう。
【０００４】
一方、特許文献２、及び特許文献３には、アクセサリーが皮膚に触れる部分に樹脂皮膜層を設けることにより、アレルギーを防止しようという技術開示が為されている。特殊な金属材料を使用しないので高価ではないが、このような皮膜対策はアクセサリー製造時に形成されるもので、未対策のアクセサリーに対して個人的にアレルギー防止用の樹脂皮膜を形成する技術開示は為されていない。
【先行技術文献】
【特許文献】
【０００５】
【特許文献１】特開２０００−２３９７９９号公報
【特許文献２】特開平９−７５１１６号公報
【特許文献３】実開平５−２３９１６号公報
【発明の概要】
【発明が解決しようとする課題】
【０００６】
現在、時計、ブレスレット、指輪、ピアス等のアクセサリーには広く金属が用いられており、前記引用した特許文献のようなアレルギー対策を施したものは非常に少なく、デザインや種類もごく限られてしまう。
【０００７】
また、金属イオンが発生しない純金または高純度の金を使用したり、金メッキを施すことにより金属アレルギーを防止する手段もあるが、純金は高価である上に強度が確保できず、金メッキには高価な設備が必要であり、個人で作成したり対策を施すことは困難である。このため、金属アレルギー未対策のアクセサリーに対して廉価で個人的に金属アレルギー対策を施すことができる手段、装置の実現が課題である。
【課題を解決するための手段】
【０００８】
上記課題を解決するために、本発明に係る金属アレルギー防止用塗布装置は、後述するコロジオンあるいはシリコン系、フッ素樹脂系、アクリル系等の合成樹脂よりなるアレルギー防止用塗布材を、マニキュアビンのように蓋の内側に塗布用の筆あるいはヘラを設けた容器に詰めた構成とし、個人でも手軽にアクセサリーに塗布できるものである。
【発明の効果】
【０００９】
従来金属アレルギーを引き起こす体質のユーザーは、アレルギー対策を施された金属を使用したアクセサリーを購入するしかなかったが、本発明に係る金属アレルギー防止用塗布装置を用いれば、ユーザー個人でアレルギー防止対策をすることが可能となる。
【００１０】
このため、金属アレルギー体質のユーザーは、数少ないアレルギー対策アクセサリーから選択することなく、数多いアレルギー未対策アクセサリーから好みのアクセサリーを選択購入し、ユーザー個人がマニキュアを塗る感覚でアレルギー防止用塗布材をアクセサリーの金属部に塗布し、金属表面に皮膜を形成して金属が直接皮膚に接触することを防ぎ、金属アレルギーを防止することができる。
【図面の簡単な説明】
【００１１】
【図１】本発明に係る金属アレルギー防止用塗布装置の構成を模式的に示した図である。
【発明を実施するための形態】
【００１２】
以下、本発明を実施するための形態について説明する。
【００１３】
図１は、本発明に係る金属アレルギー防止用塗布装置の一実施例の構成を示した図である。図１Ａは保管時を、図１Ｂは時計の裏の金属部分に塗布材塗布をしている場合を示している。
【００１４】
図１Ａにおいて、容器１には液体状或いは粘性体状の塗布材２を入れてあり、容器２の蓋３の裏側には筆４またはヘラが付加されている。図１Ｂは蓋３を開け、付加された筆４で腕時計５の裏面に塗布材２を塗布している場合である。
【００１５】
上記塗布装置に用いる塗布材としては、人体に対して無害であり、皮膚に触れてもアレルギー反応を起こすことが無いことはもちろん、皮膚表面に滲み出る汗によって溶けてしまうことが無いよう、耐水性の皮膜を形成する材質であることが必要である。
【００１６】
このような塗布材に最適なものの一つにコロジオンがある。これは、ニトロセルロース（ピロキシリン）をエタノールとジエチルエーテルの混合液に溶かしたもので、これを金属表面に塗布すると耐水性の皮膜を形成し、金属表面が直接皮膚に触れることを防止することができる。
【００１７】
このコロジオンは、古くから直接皮膚に塗布する液体絆創膏に用いられている材質で、現在までの使用実績からみても皮膚アレルギーを引き起こす確率は極めて少ないものである。さらに、液体絆創膏に用いられていることからも分かるように、コロジオンは抗菌性があるため、皮膜に雑菌が付着することも防止できる。
【００１８】
前記においては、コロジオンについて説明したが、これに限らず、同様に汎用の合成樹脂材であるシリコン系、フッ素系、アクリル系樹脂等の人体や皮膚に対して無害の溶融樹脂を用いることができる。
【００１９】
このような構成にすることにより、ユーザー個人が本発明の金属アレルギー防止用塗布装置を用いて、例えばアクセサリーの皮膚に触れる部分の金属表面に塗布材を塗布して皮膜を作り、金属が直接皮膚に触れないようにすることができる。また、長期間のアクセサリー使用時に、皮膜が破れたり、摺れて金属表面が露出したりする恐れのあるときには塗布材を更に塗布したり、皮膜を一旦剥がして再度塗布する等の維持管理を個人で行うことができる。
【産業上の利用可能性】
【００２０】
本発明は、金属アレルギーの発症を安価に個人で防止することができるものであり、時計やアクセサリーの金属部分に塗布するばかりでなく、生活環境に存在する皮膚に触れる恐れのある金属部分に塗布して皮膜を形成し、金属アレルギーの発症を防止することができるため広い応用が考えられ、各種産業に対して大きな有益性をもたらすものである。
【符号の説明】
【００２１】
１  容器
２  塗布材
３  蓋
４  筆またはヘラ
５  腕時計
【図１】
2012143487.tif 000003